(57)【要約】【課題】従来の複式メータユニットはメータ枡の低い位置に水道用メータが取付けられているため、比較的少ない水量で水道用メータが水没するという課題があった。【解決手段】止水栓を含む一次側配管部材と二次側配管部材間を水道用メータの着脱部としたメータ接続ユニットをメータ枡の下枡に複数組並列に設けた複式メータユニットであって、両端の接続部に高低差を設けた段付き管を前記一次側配管部材と二次側配管部材それぞれに接続し、前記メータ接続ユニットそれぞれの水道用メータの前記着脱部を、前記段付き管の高低差分、上方に位置させた。【選択図】図１
2015017891.tif 000002
【特許請求の範囲】
【請求項１】
止水栓を含む一次側配管部材と二次側配管部材間を水道用メータの着脱部としたメータ接続ユニットをメータ枡の下枡に複数組並列に設けた複式メータユニットであって、
前記一次側配管部材と二次側配管部材それぞれは、両端の接続部が高低差を有する段付き管をその上位側の接続部が互いに向き合うように接続してなり、
当該段付き管の高低差分、前記メータ接続ユニットそれぞれの水道用メータの前記着脱部を上方に位置させたことを特徴とする複式メータユニット。
【請求項２】
一次側配管部材は、止水栓の一次側に段付き管の上位側の接続部を接続してなる請求項１記載の複式メータユニット。
【請求項３】
止水栓を含む一次側配管部材と二次側配管部材間を水道用メータの着脱部としたメータ接続ユニットをメータ枡の下枡に複数組並列に設けた複式メータユニットであって、
前記下枡の内部の一次側と二次側に互いに平行して設置する一対の横長の台座それぞれに、前記一次側配管部材と二次側配管部材それぞれを複数並列に固定したことを特徴とする複式メータユニット。
【請求項４】
止水栓を含む一次側配管部材と二次側配管部材間を水道用メータの着脱部としたメータ接続ユニットをメータ枡の下枡に複数組並列に設けた複式メータユニットであって、
前記下枡の内部に並列に設置する縦長の台座を前記メータ接続ユニットの組数と同数備え、前記メータ接続ユニットごとに前記一次側配管部材及び二次側配管部材を前記台座に固定したことを特徴とする複式メータユニット。
【発明の詳細な説明】
【技術分野】
【０００１】
この発明は、複数の水道用メータを共通のメータ枡に収容した複式メータユニットに係り、水道用メータを接続するユニットのメータ枡に対する新規な取付構造に関するものである。
【背景技術】
【０００２】
水道用メータは１世帯に１つ設置するが、本出願人は主にアパート等の低層集合住宅向けとして、例えば４世帯分（４つ）の水道用メータを並列に装着できる複式メータユニットを開示している（特許文献１〜１３）。これら複式メータユニットは、数個の水道用メータを１つのベースあるいはメータ枡に集約したことにより、世帯ごとに水道用メータを１つずつ設置するよりも省スペース化が図られ、さらに数世帯分を集中検針することができる。
【０００３】
それまで、一つのメータ枡に複数の水道用メータを集約するという発想はなかったが、上述したような省スペース化や集中検針といった機能が認められ、現在では、上記複式メータユニットは多くの水道事業者で採用されるに至っている。
【先行技術文献】
【特許文献】
【０００４】
【特許文献１】特開２００９−２９３２８２号公報
【特許文献２】特開２０１１−２１４３９３号公報
【特許文献３】特開２０１１−２１４３９４号公報
【特許文献４】特開２０１１−２１４３９５号公報
【特許文献５】特開２０１１−２３１６１４号公報
【特許文献６】特開２０１１−２４７０８５号公報
【特許文献７】特開２０１２−１２７１８８号公報
【特許文献８】特開２０１２−１３２３０４号公報
【特許文献９】特開２０１２−１８８８３３号公報
【特許文献１０】特開２０１２−２１９４５１号公報
【特許文献１１】特開２０１３−７６２９２号公報
【特許文献１２】特開２０１３−９６１４３号公報
【特許文献１３】特開２０１３−１００７０８号公報
【発明の概要】
【発明が解決しようとする課題】
【０００５】
ところで、水道用メータをメータ枡に収容して埋設した場合、雨水等がメータ枡に浸水することがある。それ自体は量水機能等に影響しないが、最悪、水道用メータが水没することを想定する必要がある。水道用メータが水没すると、検針時にメータが読み取りづらくなるからである。特に、複式メータユニットは、メータ枡に収容されている複数の水道用メータが同時に水没することになるため、集中検針に及ぼす影響が大きい。しかし、従来の複式メータユニットはメータ枡の低い位置に水道用メータが取付けられているため、比較的少ない水量で水道用メータが水没するという課題がある。さらに、メータ枡が水道用メータの水没位置まで浸水すると、そのままではメンテナンスや交換等のために水道用メータを着脱できないため、事前にメータ枡に溜まった水をポンプ等で排出する手間も生じる。
【０００６】
また別の課題として、部品の管理や生産効率に関する問題がある。即ち複式メータユニットは、止水栓を含む一次側配管部材と、逆止弁を含む二次側配管部材を一組とし、その組数により２連式、３連式、４連式等とすることができるが、連数に見合った複数の一次側配管部材や二次側配管部材をそれぞれ一つにユニット化したり、一組の一次側配管部材と二次側配管部材を一つにユニット化しておけば、複式メータユニットとしての部材管理を合理的に行うことができ、また最終組み立ても効率的に行うことができる。
【課題を解決するための手段】
【０００７】
本発明は止水栓を含む一次側配管部材と逆止弁を含む二次側配管部材間を水道用メータの着脱部としたメータ接続ユニットをメータ枡の下枡に複数組並列に設けた複式メータユニットであることを前提として、上述した課題ごとに次のような手段を採用することとした。
【０００８】
まず、上述した水没対策として本発明では、一次側配管部材と二次側配管部材それぞれは両端の接続部が高低差を有する段付き管を含むこととし、これら一対の段付き管をその上位側の接続部が互いに向き合うように接続することで、当該段付き管の高低差分、前記メータ接続ユニットそれぞれの水道用メータの前記着脱部を上方に位置させるという手段を用いた。この手段によれば、各メータ接続ユニットについて水道用メータの着脱部が段付き管の高低差分、上方に位置するため、こうした高低差なく、一直線状に水道用メータを接続する従来の複式メータユニットに比べて、水道用メータが水没しにくくなる。なお、段付き管単体は、両端の接続部間に階段状の屈曲管を形成した側面視Ｚ字状あるいはＳ字状等を呈し、流路を上下に変位させるものである。
【０００９】
また、本発明では、止水栓の一次側に段付き管の上位側の接続部を接続して一次側配管部材を構成するという手段を用いる。この手段では、止水栓が段付き管の二次側で段差分、上方に位置して、ちょうど水道用メータの着脱部と同じ高さとなる。したがって、止水栓の水没回避に有効である。
【００１０】
他方、部品の管理や生産効率の改善策として本発明では、下枡の内部の一次側と二次側に互いに平行して設置する一対の横長の台座を備え、これら一次側台座と二次側台座のそれぞれに、一次側配管部材と二次側配管部材を複数並列に固定するという手段を用いる。この手段によれば、各横長の台座に一次側配管部材と二次側配管部材それぞれを例えば２個一組、３個一組、４個一組にユニット化しておくことで、これらユニットそれぞれを一つの部材として複式メータユニットの連数ごとに部材管理を行うことができる。そして、２連式の複式メータユニットであれば、２個一組とした一次側配管部材と二次側配管部材それぞれのユニットを下枡の一次側と二次側に設置するだけで済み、一次側配管部材と二次側配管部材を必要な数だけ、一々、下枡に固定するといった手間が省ける。
【００１１】
さらに、部品管理や生産効率を改善する別手段として本発明では、下枡の内部に並列に設置する縦長の台座を複数備え、台座ごとに一組の一次側配管部材と二次側配管部材を固定するという手段を用いる。この手段によれば、メータ接続ユニットそれぞれを一つの台座にユニット化することができる。したがって、メータ接続ユニットを一つの部材として管理することができる。そして、２連式の複式メータユニットであれば、台座付きのメータ接続ユニットを２組、下枡に並列に設置するだけで済み、やはり必要な個数の一次側配管部材と二次側配管部材を個別に下枡に固定する手間が省ける。
【発明の効果】
【００１２】
本発明によれば、段付き管の高低差を利用して水道用メータの着脱部を上位としたので、メータ枡に雨水等が浸水したり落ち葉等が入り込んでも、水道用メータが水没したり落ち葉等で埋没するおそれが低くなり、集中検針を難なく行うことができる。また、止水栓も上位とすることで、止水栓を水没や落ち葉等の埋没から保護でき、これまた開閉操作を難なく行うことができる。
【００１３】
一方、横長の台座に、連数に見合った数の一次側配管部材と二次側配管部材それぞれを固定してユニット化したので、連数ごとに部材を管理することができ、生産に際しては、連数に対応するユニットを選択して下枡に組み付けるだけで済む。
【００１４】
さらに、縦長の台座に一次側配管部材と二次側配管部材を一対固定してユニット化したので、メータ接続ユニットごとに部材を管理することができ、生産に関しては、連数と同数のユニットを下枡に並列に組み付けるだけで済む。
【図面の簡単な説明】
【００１５】
【図１】本発明の第一実施形態に係る複式メータユニットの平面図
【図２】同、側面視断面図
【図３】同、変形例１の平面図
【図４】同、変形例１の側面視断面図
【図５】同、変形例２の平面図
【図６】同、変形例２の側面視断面図
【図７】本発明の第二実施形態に係る複式メータユニットの平面図
【図８】同、側面視断面図
【図９】本発明の第三実施形態に係る複式メータユニットの平面図
【図１０】同、側面視断面図
【発明を実施するための形態】
【００１６】
以下、本発明の好ましい実施の形態を添付した図面に従って説明する。図１・２は、本発明の第一実施形態を示したもので、下枡Ｂ１と上枡Ｂ２とからなるメータ枡Ｂの下枡Ｂ１に、４組のメータ接続ユニットＵを並列に設けた４連式の複式メータユニットを示している。この連数は一例であり、メータ接続ユニットＵの組数を２組、３組として２連式、３連式の複式メータユニットとすることもある。何れの連数においても各メータ接続ユニットＵは、一次側配管部材Ｕ１と二次側配管部材Ｕ２とを備え、両部材間を水道用メータＭの着脱部Ｓとしている。一次側配管部材Ｕ１は止水栓１を含み、該止水栓１の一次側に段付き管２を接続している。二次側配管部材Ｕ２は逆止弁３を含み、該逆止弁３の一次側に段付き管４を接続している。逆止弁３は二次側配管部材Ｕ２の必須の構成要素ではなく、省略してもよいし、一次側配管部材Ｕ１の構成要素とすることも排除するものではない。そして、止水栓１の二次側と、二次側の段付き管４のそれぞれには、水道用メータＭを着脱自在に装着するメータ接続部材５・６を設けており、これら一対のメータ接続部材５・６によって水道用メータＭの着脱部Ｓを構成している。なお、メータ接続部材５・６はねじ式を示しているが、圧着式とすることも可能である。
【００１７】
一次側の段付き管２と二次側の段付き管４それぞれは、両端の接続部２ａ・２ｂ、４ａ・４ｂに中間の階段状の屈曲管部２ｃ・４ｃによって高低差を設けたものである。つまり、段付き管２・４は、両端接続部を段違いとした通水管である。そして、一次側配管部材Ｕ１については段付き管２の上位接続部２ｂを二次側に向け、該上位接続部２ｂに止水栓１を接続する一方、二次側配管部材Ｕ２については段付き管４の上位接続部４ａを一次側に向け、下位接続部４ｂに逆止弁３を接続している。この実施形態の場合、上位接続部４ａは二次側のメータ接続部６を兼ねている。なお、一次側の段付き管２と二次側の段付き管４の両端接続部の高低差は必ずしも一致させなくてもよいが、互いの上位接続部２ｂ・４ｂは同軸上に位置させる必要はある。水道用メータＭの着脱部Ｓを構成するためである。
【００１８】
７は分岐ヘッダであり、この実施形態の場合、一の流入口７ａに対して連数に見合った４つの支流口７ｂを設け、各支流口７ａに一次側段付き管２の下位接続部２ａを接続している。そして、当該分岐ヘッダ７を下枡Ｂ１にビス止めすることによって、４組の一次側配管部材Ｕ１を下枡Ｂ１に固定している。
【００１９】
このような接続態様によって、各メータ接続ユニットＵは水道用メータＭの着脱部Ｓが段付き管２・４の高低差分、上位に位置することになる。また、この実施形態では、止水栓１も水道用メータＭと同じ高さに位置することになる。したがって、仮にメータ枡Ｂが浸水したとしても、水道用メータＭや止水栓１を含め全ての部材を下枡の下方に直線状に接続した場合と比べて、水道用メータＭや止水栓１が水没しにくくなる。また水道用メータＭや止水栓１が上方に位置する分、上枡Ｂ２の天面に設けた検針窓から無理にのぞき込むことなくメータ数値を読み取りやすくなり、止水栓１にあっては開閉操作がしやすくなる。
【００２０】
なお、この実施形態では、下枡Ｂ１の前後（一次側と二次側間）の長さを、一次側からは分岐ヘッダ７の流入口７ａが突出し、二次側からは二次側配管部材Ｕ２の二次側端部それぞれが突出する長さとしている。
【００２１】
これに対して図３・４の変形例１では、下枡Ｂ１の長さを一次側に延長して、分岐ヘッダ７の流入口７ａが下枡Ｂ１の内部に収まる長さとしている。また図５・６の変形例２では、下枡Ｂ１の長さを二次側にも延長して、二次側配管部材Ｕ２の二次側端部それぞれが下枡Ｂ１の内部に収まる長さとしている。このように下枡Ｂ１の前後の長さを変更しても差し支えなく、何れの場合であっても、段付き管２・４の段差分だけ水道用メータＭを上方に位置させることができることは図１・２の場合と同じである。
【００２２】
次に図７・８は本発明の第二実施形態を示したものである。この実施形態においても下枡Ｂ１と上枡Ｂ２とからなるメータ枡Ｂの下枡Ｂ１に、４組のメータ接続ユニットＵを並列に設け、メータ接続ユニットＵのそれぞれが、一次側配管部材Ｕ１と二次側配管部材Ｕ２とを備えてなり、両部材Ｕ１・Ｕ２間を水道用メータＭの着脱部Ｓとしたことは、第一実施形態と同じである。また、一次側配管部材Ｕ１の一次側端部に分岐ヘッダ７を接続したことも第一実施形態と共通する。
【００２３】
一方、この第二実施形態では、下枡Ｂ１の内部の一次側と二次側とで平行して設置される横長の台座８・９を一対備えている。ここで「横長」とは、下枡Ｂ１の一次側を前、二次側を後としたときの左右の幅に対応する概念である。そして、各台座８・９に一次側配管部材Ｕ１と二次側配管部材Ｕ２をそれぞれ４組ずつ、長手方向に沿って並列に固定している。
【００２４】
即ち、一次側配管部材Ｕ１の止水栓１と、二次側配管部材Ｕ２の逆止弁３はそれぞれ、弁函の側面から迫り出す左右一対の座金部１ａ・３ａを一体に有しており、この座金部１ａ・３ａを各台座８・９の天面に突設したポスト部８ａ・９ａにビス１０により固定している。
【００２５】
このように、連数に見合った数の一次側配管部材Ｕ１と二次側配管部材Ｕ２を各台座８・９に固定して、一次側と二次側それぞれでユニット化しているので、これら一次側ユニットと二次側ユニットそれぞれを１つの部材として管理することができ、また生産に関しても、数が対応する一次側ユニットと二次側ユニットを一組選択し、下枡Ｂ１に設置するだけで、所望の連数の複式メータユニットを組み立てることができる。
【００２６】
なお、一次側ユニットの台座８は断面台形状であり、下枡Ｂ１には固定せず、単に載置しているだけであるのに対して、二次側ユニットの台座９は平板状であり、下枡Ｂ１にはその両端をビス１１により固定している。
【００２７】
続いて図９・１０は、本発明の第三実施形態を示したものであり、下枡Ｂ１と上枡Ｂ２とからなるメータ枡Ｂの下枡Ｂ１に、４組のメータ接続ユニットＵを並列に設けたことと、メータ接続ユニットＵのそれぞれが、一次側配管部材Ｕ１と二次側配管部材Ｕ２とを備え、両部材間を水道用メータＭの着脱部Ｓとしたことは、第一・第二実施形態と同じである。また、この第三実施形態においても、一次側配管部材Ｕ１の一次側端部に分岐ヘッダ７を接続している。
【００２８】
これに対して、この第三実施形態では、下枡Ｂ１の内部に前後に沿って設置される縦長の台座１２を４組並列に備えている。ここで「縦長」とは、下枡Ｂ１の一次側を前、二次側を後としたときの前後の幅に対応する概念である。そして、各台座１２に一組の一次側配管部材Ｕ１と二次側配管部材Ｕ２を固定している。
【００２９】
具体的には、台座１２の天面に間隔をおいて設置した一次側配管部材Ｕ１と二次側配管部材Ｕ２を台座１２の裏側からビス１３によって固定している。このようにビス１３を台座１２の裏側から螺合するようにしたので、第二実施形態のように左右に迫り出す座金部を必要としない分、台座１２の幅を狭くでき、下枡Ｂ１に並列設置したとき、隣合う同士の干渉をなくして、全体として幅を抑えたコンパクトな複式メータユニットとすることができる。
【００３０】
またビス１３は止水栓１と逆止弁３それぞれの弁函に対して前後に沿った２ヶ所で螺合している。したがって、台座１２に固定した一次側配管部材Ｕ１と二次側配管部材Ｕ２がビス１３を支点として回転することを防止することができる。
【００３１】
このように第三実施形態では、縦長の台座１２に一次側配管部材Ｕ１と二次側配管部材Ｕ２を固定したので、これを一組のメータ接続ユニットとして部品管理でき、生産に関しては、連数に見合った必要な数のメータ接続ユニットを下枡Ｂ１に並列に設置するだけで、複式メータユニットを組み立てることができる。
【００３２】
即ち、第二実施形態では一次側と二次側とをそれぞれ別々に、連数ごとに複数個をユニット化したのに対して、第三実施形態ではメータ接続ユニットごとに一組の一次側と二次側とをユニット化したが、何れの形態であっても部品の管理が容易になり、生産効率も向上させることができる。
【符号の説明】
【００３３】
Ｂ１  下枡
Ｂ２  上枡
Ｕ  メータ接続ユニット
Ｕ１  一次側配管部材
Ｕ２  二次側配管部材
Ｓ  水道用メータの着脱部
１  止水栓
２  一次側の段付き管
３  逆止弁
４  二次側の段付き管
５  メータ接続部材（一次側）
６  メータ接続部材（二次側）
７  分岐ヘッダ
７ａ  流入口
７ｂ  支流口
８  台座（一次側）
９  台座（二次側）
１０  ビス
１２  台座
１３  ビス
【図１】
2015017891.tif 000003
【図２】
2015017891.tif 000004
【図３】
2015017891.tif 000005
【図４】
2015017891.tif 000006
【図５】
2015017891.tif 000007
【図６】
2015017891.tif 000008
【図７】
2015017891.tif 000009
【図８】
2015017891.tif 000010
【図９】
2015017891.tif 000011
【図１０】
2015017891.tif 000012